(57)【要約】      （修正有）【課題】低周波治療器において、導電線に接触端子を接触して電気接続する接触端子構造を提供する。【解決手段】低周波治療器の接触端子構造は、導電線２６が表面に設けられ、一軸方向に延びる上面２２ａ０の端部から一軸方向の一側に突出して、上面から一軸方向に交差する方向に離間する下面１２ａ０上に位置するフレキシブルな片部材２８ｂ、及び下面に対向して片部材の表面に当接する第１接触部３２ａと上面端部に対向する第２接触部３２ｂとが形成された接触端子３２を備える。接触端子の第１接触部３２ａにより、上面の端部から突出して下面上に位置する片部材の表面が押さえられて電気接続される。【選択図】図３
0003200060.tif 000002
【実用新案登録請求の範囲】
【請求項１】
導電線に接触端子を接触して電気接続する接触端子構造であって、
一軸方向に延びる上面と前記上面から前記一軸方向に交差する方向に離間する下面とを備える段部と、
導電線が表面に設けられ、前記上面の端部から前記一軸方向の一側に突出して、前記下面上に到達するフレキシブルな片部材と、
前記下面に対向して前記片部材の表面に当接する第１接触部と、前記上面の端部に対向する第２接触部と、が形成された接触端子と、
を備えることを特徴とする、接触端子構造。
【請求項２】
前記第１接触部は、前記交差する方向に可動に形成されることを特徴とする、請求項１に記載の接触端子構造。
【請求項３】
前記接触端子は、前記上面に対して前記一軸方向の一側に離間する基板に片持ち梁状に固定されることを特徴とする、請求項２に記載の接触端子構造。
【請求項４】
前記第２接触部は、前記一軸方向に可動に形成されることを特徴とする、請求項１から３のいずれか一項に記載の接触端子構造。
【請求項５】
前記接触端子は、１つの弾性部材を、該弾性部材のうちの前記第１接触部が設けられる第１部及び前記第２接触部が設けられる第２部をそれぞれ前記下面及び前記上面の端部に向けて、塑性変形することで成形されることを特徴とする、請求項４に記載の接触端子構造。
【請求項６】
前記下面が弾力部材であることを特徴とする、請求項１から５のいずれか一項に記載の接触端子構造。
【考案の詳細な説明】
【技術分野】
【０００１】
本考案は、導電線に接触端子を接触して電気接続する接触端子構造に関する。
【背景技術】
【０００２】
微弱な低周波電流を皮膚表面より人体内に流すことで、患部を治療する低周波治療器が広く利用されている。例えば特許文献１には、患部に貼り付ける導子パッド（電極パッド、或いは単にパッドとも呼ぶ）と、低周波電流を発生してパッドに供給するとともにその低周波電流を制御するコントローラと、が一体的に構成された低周波治療器が開示されている。
【０００３】
上述の低周波治療器において、パッドは患部に貼り付けられるようフレキシブルな素材から構成されるのに対して、低周波電流を発生するコントローラ内の基板は堅固に構成される。そのため、パッドが柔軟に曲がることで、コントローラ内の基板とパッド上に配設される導電線との間で接触不良を生ずることがある。
【先行技術文献】
【特許文献】
【０００４】
【特許文献１】実用新案登録第３１５８３０３号公報
【考案の概要】
【考案が解決しようとする課題】
【０００５】
本発明は、導電線に接触端子を接触して電気接続する接触端子構造を提供することを課題とする。
【課題を解決するための手段】
【０００６】
本考案の接触端子構造は、
導電線に接触端子を接触して電気接続する接触端子構造であって、
一軸方向に延びる上面と前記上面から前記一軸方向に交差する方向に離間する下面とを備える段部と、
導電線が表面に設けられ、前記上面の端部から前記一軸方向の一側に突出して、前記下面上に到達するフレキシブルな片部材と、
前記下面に対向して前記片部材の表面に当接する第１接触部と、前記上面の端部に対向する第２接触部と、が形成された接触端子と、
を備えることを特徴とする。
【０００７】
この特徴によれば、接触端子の第１接触部により、上面の端部から突出して下面上に位置する片部材の表面が押さえられる。この状態において、片部材が一軸方向の他側に引かれると、片部材が上面方向に引き上げられることで片部材の表面が接触端子の第１接触部により強く当接し、片部材が一軸方向の一側に押し出されると、片部材に撓みが生じることでその撓んだ片部材の表面が接触端子の第２接触部に当接する。それにより、接触端子は、片部材が一軸方向に一側に引かれても他側に引かれても、常時、片部材上の導電線に接触する。
【０００８】
本考案の接触端子構造は、
前記第１接触部は、前記交差する方向に可動に形成されることを特徴とする。
【０００９】
この特徴によれば、第１接触部が交差する方向に可動に形成されるため、第１接触部に当接する片部材に過度の張力を加えることなく、接触端子による導電線への接触を維持することができる。
【００１０】
本考案の接触端子構造は、
前記接触端子は、前記上面に対して前記一軸方向の一側に離間する基板に片持ち梁状に固定されることを特徴とする。
【００１１】
この特徴によれば、接触端子が基板に片持ち梁状に固定されることで、第１接触部が交差する方向に動くことができる。
【００１２】
本考案の接触端子構造は、
前記第２接触部は、前記一軸方向に可動に形成されることを特徴とする。
【００１３】
この特徴によれば、第２接触部が一軸方向に可動に形成されるため、段部が接触端子に近接して片部材が一軸方向の他側に押し出された場合に、第２接触部に当接する片部材に過度の応力を加えることなく、接触端子による導電線への接触を維持することができる。
【００１４】
本考案の接触端子構造は、
前記接触端子は、１つの弾性部材を、該弾性部材のうちの前記第１接触部が設けられる第１部及び前記第２接触部が設けられる第２部をそれぞれ前記下面及び前記上面の端部に向けて、塑性変形することで成形されることを特徴とする。
【００１５】
この特徴によれば、１つの弾性部材を、その弾性部材のうちの第１接触部が設けられる第１部及び第２接触部が設けられる第２部をそれぞれ段部の下面及び上面の端部に向けて塑性変形することで接触端子を成形することにより、下面に対向して片部材の表面に当接する第１接触部を形成しつつ、上面の端部に対向する一軸方向に可動な第２接触部を形成することができる。
【００１６】
本考案の接触端子構造は、
前記下面が弾力部材であることを特徴とする。
【００１７】
この特徴によれば、接触端子の第１接触部と弾力部材との間に片部材を挟圧することで、接触端子を導電線に良好に接触することができる。
【考案の効果】
【００１８】
本発明の接触端子構造によれば、導電線に接触端子を接触して常時、電気接続することが可能となる。
【図面の簡単な説明】
【００１９】
【図１】図１は、一実施形態に係る低周波治療器の構成を示す図である。
【図２】図２は、接触端子構造の構成を示す図である。
【図３】図３は、接触端子構造による接触原理を説明する図である。
【考案を実施するための形態】
【００２０】
以下、本考案の一実施形態について説明する。
【００２１】
図１（Ａ）及び（Ｂ）に、それぞれ、一実施形態に係る低周波治療器１の表側及び裏側の構成を示す。ここで、低周波治療器１の裏側に、患部に貼り付けられる電極が設けられている。なお、図１（Ｂ）において、コントローラ１０の筐体１２の底面を省略して、その内部が示されている。低周波治療器１は、低周波電流を流して患部を治療する治療器であり、大略して、コントローラ１０、導子パッド（パッドとも呼ぶ）２０、及び４つの接触端子構造３０を含んで構成される。
【００２２】
コントローラ１０は、低周波電流を発生し、制御する低周波治療器１の本体であり、電源ユニット１５及び筐体１２を含んで構成される。
【００２３】
電源ユニット１５は、低周波電流を発生するユニットであり、筐体１２内に収容された基板１６、電池ボックス１６ａ、及び電源回路（不図示）を含んで構成される。基板１６は、電源回路（不図示）を支持する堅固な板状部材であり、筐体１２内に固定されている。電池ボックス１６ａは、１又は複数の電池（不図示）を収容する箱体である。電池ボックス１６ａは、一例として、筐体１２の底面（不図示）に設けられた蓋部材（不図示）を開けて電池を出し入れ可能に、筐体１２に一体的に成形されている。電源回路（不図示）は、電池ボックス１６ａに収容される電池の電力を利用して低周波電流を発生する回路であり、基板上１６上に設けられている。電源回路（不図示）は、一例として、低周波電流の周波数を数Ｈｚから５０００Ｈｚの範囲で、その強度を数段階に調整することができる。
【００２４】
電源ユニット１５は、低周波電流を、基板１６上に配設された配線（不図示）及び後述する接触端子構造３０を介して低周波電流を電極２４に供給する。
【００２５】
筐体１２は、平面視において略半楕円形状の上面及び底面（不図示）を有する筐体であり、その上面に電源ユニット１５による低周波電流の発生及び供給を操作するための操作部が設けられている。操作部は、中央に円形状の電源スイッチ１４及び電源スイッチ１４の左右に一対の強度ボタン１８が設けられている。電源スイッチ１４は、電源ユニット１５をオンオフするためのボタン状のスイッチである。一対の強度ボタン１８は、低周波電流の数段階強度を操作するためのボタンであり、＋形状のボタンを押すことで強度を上げ、−形状のボタンを押すことで強度を下げることができる。その他、低周波電流の周波数を操作するためのボタン、パッド２０に含まれる複数の電極への低周波電流の供給の態様、すなわち複数のもみほぐしの態様を操作するためのボタン等が設けられてもよい。
【００２６】
パッド２０は、患部に付着して低周波電流を流すパッドであり、ベース２２、４つの電極２４、４つの導電線２６、及び作用面２８を含んで構成される。
【００２７】
ベース２２は、電極２４及び導電線２６を保護する平板状部材であり、コントローラ１０を中心に図面左方及び右方に拡がる形状を有する。ベース２２は、その表側及び裏側をそれぞれ構成する表部２２ａ及び裏部２２ｂを有する。表部２２ａは、コントローラ１０の筐体１２と一体的に成形される。裏部２２ｂは、その中央上部に、コントローラ１０の筐体１２の外枠の形状に一致する切り欠きが設けられ、その切欠き内に接触端子構造３０を構成する４つの片部材２８ｂ（図２参照）を有する。裏部２２ｂは、表部２２ａの裏面に付着され、その表面に電極２４及び導電線２６が配設される。表部２２ａ及び裏部２２ｂともに、裏部２２ｂの表面を人体の任意の患部に密着できるよう、樹脂等のフレキシブル（柔軟）な素材から構成される。
【００２８】
４つの電極２４は、患部に当接して低周波電流を流すための導電性のパターンである。４つの電極２４は、それぞれ複数の円形開口を有する超楕円形状（或いは小判形）を有する。２つの電極２４は、ベース２２の裏部２２ｂ上の図面左側に、それらの長手を図面左斜め上に向けて並設されている。残りの２つの電極２４は、ベース２２の裏部２２ｂ上の図面右側に、それらの長手を図面右斜め上に向けて並設されている。
【００２９】
４つの導電線２６は、コントローラ１０から供給される低周波電流をそれぞれ４つの電極２４に送る導電性のパターンである。４つの導電線２６のうちの１つは、裏部２２ｂの中央の切欠き内の最左の片部材２８ｂから最左の電極２４まで、裏部２２ｂの図面上側を介して敷設される。別の１つは、切欠き内の左から２つめの片部材２８ｂから左から２つめの電極２４まで、裏部２２ｂの図面中央左側を介して敷設される。別の１つは、切欠き内の左から３つめの片部材２８ｂから左から３つめの電極２４まで、裏部２２ｂの図面中央右側を介して敷設される。残りの１つは、切欠き内の最右の片部材２８ｂから最右の電極２４まで、裏部２２ｂの図面上側を介して敷設される。４つの導電線２６は、後述する接触端子構造３０を介してコントローラ１０に含まれる電源ユニット１５に電気接続する。導電線２６は、人体（皮膚）と接触しても人体と通電しないよう、表面が電気的に絶縁されている。
【００３０】
作用面２８は、電極２４を含んで人体の患部に作用する面である。電極２４の表面は、一例としてゲル状の素材が設けられ、人体の患部（皮膚）に粘着する。導電線２６表面が絶縁されているので、コントローラ１０から供給される低周波電流は、電極２４において人体の患部（皮膚）に作用する。
【００３１】
４つの接触端子構造３０は、導電線２６に接触端子３２を接触して電気接続する端子構造であり、４つの片部材２８ｂにそれぞれ対応して設けられている。
【００３２】
図２（Ａ）及び（Ｂ）に、それぞれ上面視及び側面視において接触端子構造３０の構成を示す。なお、４つの接触端子構造３０はいずれも共通の構成を有する。接触端子構造３０は、段部１２ａ、片部材２８ｂ、及び接触端子３２を含んで構成される。
【００３３】
段部１２ａは、コントローラ１０の筐体１２に段状に形成された部分であり、図２（Ｂ）における上下方向に離間する２つの面、すなわち上面２２ａ０及び下面１２ａ０から構成される。上面２２ａ０は、図面左右方向に延びるベース２２の表部２２ａの裏面である。下面１２ａ０は、上面２２ａ０、すなわちベース２２に対して図面右側に位置するコントローラ１０の筐体１２の内側に形成される。
【００３４】
なお、段部１２ａは、上下方向に離間する２つの面のうち上面がベース２２側、下面が筐体１２側に位置していれば、その詳細構成は任意でよい。例えば、下面１２ａ０は上面２２ａ０と平行である必要はなく、接触端子３２と片部材２８ｂを挟圧できる程度に傾いてもよい。或いは、下面１２ａ０は、連続的に傾きを変えて上面２２ａ０に連なってもよい。
【００３５】
片部材２８ｂは、先述のとおり、その表面に導電線２６が配設されたベース２２の裏部２２ｂの一部であり、表部２２ａの裏面（すなわち、上面２２ａ０）に付着した一面状の裏部２２ｂの端部から図面右方に突出して形成された突片である。ベース２２の裏部２２ｂは、フレキシブル（柔軟）な素材から構成されていることから、片部材２８ｂは、上面２２ａ０の端部から図面右方に突出して、下面１２ａ０上に垂下する。或いは、後述する接触端子３２により下面１２ａ０上に押さえられる。その長さは、下面１２ａ０上に垂下して先端を下面１２ａ０の端部近傍に位置する、又は端部から図面右方に幾らか突出する程度である。
【００３６】
接触端子３２は、片部材２８ｂ上の導電線２６に接触して、コントローラ１０内の電源ユニット（不図示）を電極２４に電気接続する端子である。接触端子３２は、下面１２ａ０に対向して片部材２８ｂの表面、すなわち導電線２６に当接する第１接触部３２ａ及び上面２２ａ０の端部に対向する第２接触部３２ｂを有する。
【００３７】
接触端子３２は、一軸方向を長手とする１つの弾性部材、例えば導電性の金属片の先端近傍を略Ｕ字状に塑性変形することで成形される。ここで、一例として、略Ｕ字状に塑性変形された部分の幅は下面１２ａ０の幅と同程度、高さは上面２２ａ０と下面１２ａ０との図面上下方向に関する離間距離と同程度である。なお、接触端子３２の形状は、後述する第１接触部３２ａが形成される部分が下面１２ａ０に対向し、後述する第２接触部３２ｂが上面の端部に対向すれば、例えばＶ字状、Ｌ字状など、任意でよい。
【００３８】
さらに、略Ｕ字状に塑性変形された部分の最下部によって、第１接触部３２ａが形成される。また、略Ｕ字状に塑性変形されて図面左方を向く先端近傍の部分を図面左方に向けて凸状にすることで、第２接触部３２ｂが形成される。接触端子３２は、第１接触部３２ａが設けられる最下部及び第２接触部３２ｂが設けられる先端近傍をそれぞれ段部１２ａの下面１２ａ０及び上面２２ａ０の端部に向けて、その基端が基板１６上の配線に接触してその基板１６上に固定される。それにより、下面１２ａ０に対向する第１接触部３２ａが下面１２ａ０との間で片部材２８ｂを挟圧し、その表面に設けられた導電線２６に当接することで電気接続されるとともに、第２接触部３２ｂが上面２２ａ０の端部に対向して配置される。
【００３９】
接触端子３２による接触原理について説明する。
【００４０】
図３（Ａ）に示すように、第１接触部３２ａにより、段部１２ａの上面２２ａ０の端部から突出して段部１２ａの下面１２ａ０上に垂下する片部材２８ｂの表面が押さえられた状態において、フレキシブルなベース２２が変形するなどして片部材２８ｂが図面左方に引かれる場合（図中の白抜き矢印の方向に移動する場合）、片部材２８ｂが上面方向に引き上げられることで片部材の表面が図面上方向（図中の黒塗り矢印の方向）に動き、片部材２８ｂの表面が接触端子３２の第１接触部３２ａにより強く当接することとなる。
【００４１】
なお、接触端子３２が段部１２ａから図面右方に位置する基板１６上に片持ち梁状に固定されることで、接触端子３２の第１接触部３２ａが図面上下方向（図中の黒塗り矢印の方向）に動くことができる。それにより、第１接触部３２ａに当接する片部材２８ｂに過度の張力を加えることなく、接触端子３２による導電線２６への接触を維持することができる。
【００４２】
逆に、図３（Ｂ）に示すように片部材２８ｂが図面右方に押し出される場合（図中の白抜き矢印の方向に移動する場合）、片部材２８ｂに撓みが生じることで、撓んだ片部材２８ｂの表面が接触端子３２の第２接触部３２ｂに当接することとなる。
【００４３】
なお、接触端子３２の先端が略Ｕ字状に形成されることで、第２接触部３２ｂが図面左右方向（図中の黒塗り矢印の方向）に動くことができる。それにより、段部１２ａが接触端子３２に近接して片部材２８ｂが図面右方に押し出された場合に、第２接触部３２ｂに当接する片部材２８ｂに過度の応力を加えることなく、接触端子３２による導電線２６への接触を維持することができる。
【００４４】
以上詳細に説明したように、本実施形態の低周波治療器１は、導電線２６が表面に設けられ、一軸方向に延びる上面２２ａ０の端部から一軸方向の一側に突出して、上面２２ａ０から一軸方向に交差する方向に離間する下面１２ａ０上に位置するフレキシブルな片部材２８ｂ、及び下面１２ａ０に対向して片部材２８ｂの表面に当接する第１接触部３２ａと、上面２２ａ０の端部に対向する第２接触部３２ｂと、が形成された接触端子３２とを有する接触端子構造３０を備える。これによれば、接触端子３２の第１接触部３２ａにより、上面２２ａ０の端部から突出して下面１２ａ０上に位置する片部材２８ｂの表面が押さえられる。この状態において、上面２２ａ０が接触端子３２から離間すると、片部材２８ｂが一軸方向の他側に引かれることで片部材２８ｂの表面が接触端子３２の第１接触部３２ａにより強く当接し、上面２２ａ０が接触端子３２に近接すると、片部材２８ｂが一軸方向の一側に押し出されることで片部材２８ｂに撓みが生じ、その撓んだ片部材２８ｂの表面が接触端子３２の第２接触部３２ｂに当接する。それにより、接触端子３２は、上面２２ａ０と接触端子３２との間の動きによらず、常時、片部材２８ｂ上の導電線に接触する。
【００４５】
なお、段部１２ａの下面１２ａ０はゴム等の弾力性を有する部材を用いることが好ましい。それにより、接触端子３２の第１接触部３２ａと部材との間に片部材２８ｂを挟圧することで、接触端子３２を導電線２６に良好に接触することができる。
【産業上の利用可能性】
【００４６】
本発明の接触端子構造は、導電線に接触端子を接触して電気接続するのに好適である。
【符号の説明】
【００４７】
１      低周波治療器
１０      コントローラ
１２ａ０   下面
１２      筐体
１２ａ    段部
１４      電源スイッチ
１５      電源ユニット
１６      基板
１６ａ    電池ボックス
１８      強度ボタン
２０      パッド
２２      ベース
２２ａ    表部
２２ａ０   上面
２２ｂ    裏部
２４      電極
２６      導電線
２８      作用面
２８ｂ    片部
３０      接触端子構造
３２      接触端子
３２ａ    第１接触部
３２ｂ    第２接触部
【図１】
0003200060.tif 000003
【図２】
0003200060.tif 000004
【図３】
0003200060.tif 000005